(57)【要約】  【課題】  器具本体に特別な加工を施すことなく、アダプターを安定にして梱包すると共に、少ない梱包資材で安価に照明器具を梱包可能な梱包形態を提供する。  【解決手段】  内部が空洞になった台座部６１と、該台座部６１の基端部に台座部６１を安定に起立した状態に保つためのつば状部６２をダンボールなどから一体に作製し、梱包資材としての保持部材６０を得る。また、該台座部６１の中央部にその周囲よりも一段高くなった装着部６３を設ける。装着部６３の上端にはアダプター２０のせん刃２２を挿入し、せん刃２２先端に設けられた爪２４を係止可能にした溝穴６４を備え、溝穴６４にせん刃２２を挿入したアダプター２０を溝穴６４に沿って回転して、アダプター２０を装着部６３に装着する。中央に開口１１を設けた器具本体１０をアダプター２０に装着して、外箱４０に照明器具１を収納する。【選択図】図１
2005343569.tif 000002
【特許請求の範囲】
【請求項１】
天井に備えられるソケットに設けられた溝穴に挿入され、当該溝穴に係止可能となったせん刃を具備する照明器具を梱包するために用いられる梱包資材であって、前記照明器具を支持する台座部を備え、当該台座部の上端面に前記せん刃が挿入される溝穴が備えられ、当該溝穴に沿ったせん刃の回転により当該せん刃が係止可能になったことを特徴とする照明器具の梱包資材。
【請求項２】
前記照明器具は、器具本体と器具本体の中央に開設された開口に着脱可能に備えられたアダプターとを備え、前記せん刃は前記アダプターに備えられたことを特徴とする請求項１記載の梱包資材。
【請求項３】
前記台座部の基端部につば状部が備えられたことを特徴とする請求項１又は２いずれかに記載の梱包資材。
【請求項４】
前記台座部に段差部を備え、前記段差部によって当該台座部に固定された照明器具の裏面が支持可能になったことを特徴とする請求項１、２又は３のいずれかに記載の梱包資材。
【請求項５】
前記台座部の前記溝穴に沿って、前記せん刃の先端に備えられた係止用の爪を誘導するための傾斜部が前記台座部に設けられたことを特徴とする請求項１、２、３又は４のいずれかに記載の梱包資材。
【請求項６】
前記台座部の前記溝穴に沿った位置に、前記せん刃の先端に備えられた係止用の爪が乗り越えられる凸部が設けられたことを特徴とする請求項１、２、３、４又は５のいずれかに記載の梱包資材。
【請求項７】
天井に備えられるソケットに設けられた溝穴に挿入され、溝穴に係止可能となったせん刃を備えた照明器具を梱包するための梱包方法であって、上端面に前記せん刃を挿入できる溝穴が備えられ、当該溝穴に沿ってせん刃を回転させることによってせん刃を係止可能にした台座部に、前記照明器具を支持固定させて梱包用外箱に収納することを特徴とする照明器具の梱包方法。
【請求項８】
前記台座部の基端部につば状部を備え、前記台座部を平板状の収納補助材に開設された穴に挿通し、前記つば状部を前記収納補助材と梱包用外箱の底面との間に挟み込むことを特徴とする請求項７に記載の照明器具の梱包方法。
【請求項９】
天井に備えられるソケットに設けられた溝穴に挿入され、溝穴に係止可能となったせん刃を備えた照明器具の梱包形態であって、請求項１乃至７のいずれかに記載の梱包資材を用いて照明器具が梱包されたことを特徴とする照明器具の梱包形態。
【発明の詳細な説明】
【技術分野】
【０００１】
本発明は照明器具の梱包資材及び照明器具の梱包方法並びに照明器具の梱包形態に関する。具体的には、天井に備え付けられるソケットに、せん刃を挿入して係止させることにより天井に取り付ける方式の照明器具に適した梱包資材及び当該梱包資材を使用した梱包方法並びに当該梱包資材を用いた梱包形態に関する。
【背景技術】
【０００２】
図７に示すものは、天井に備え付けられるソケット２の溝穴３に挿入され、当該溝穴３に係止可能となったせん刃２２を具備する照明器具１であって、せん刃２２が器具本体１０に着脱可能なアダプター２０に備えられた照明器具１の概略的分解斜視図である。当該照明器具１は、サークラインなどのランプや点灯装置を備えた器具本体１０と、当該器具本体１０に装着されランプを保護するためのグローブ３０と、天井に備え付けられたソケット２に器具本体１０を装着するためのアダプター２０とから構成されている。
【０００３】
器具本体１０は、金属板などから中央部が凸になった略円盤状に作製されており、その中央部にはアダプター２０を嵌め込むための開口１１が開設されている。この開口１１は、後述するようにアダプター２０の外周とほぼ同じ大きさかそれよりもわずかに大きく作製されており、この開口１１の図面下側には、アダプター２０の突起部を係合させるための図示しない係合部が備えられている。
【０００４】
また、器具本体１０の開口１１周縁部は、中央部が下に凸となるように段差部１２が形成されている。さらに、器具本体１０の外周縁には、グローブ３０を引っ掛けて落下しないようにするための引掛具１５が設けられている。また、器具本体１０の下面にはランプを取り付けるための取付具１３が備えられている。
【０００５】
アダプター２０は、図８に示すように、略円筒形状をしたアダプター本体２１と天井のソケット２に挿入される２本のせん刃２３とを備えている。また、当該アダプター２０の下面には、器具本体１０の点灯装置と電気的に接続するためのプラグ部２５が設けられている。
【０００６】
せん刃２３は、ソケット２と電気的に接続すると共に照明器具１を天井に取り付けるための金具の役割を果たすものであり、アダプター２０の内側方向に向け、側面視で先端がほぼ水平となる爪２４を有する略Ｌ字形状をしている。また爪２４は内側に凸となった略山型形状に形成されており、当該山型形状になった当接部２７によって図示しないソケット２との電気的な接続が確実に行なえるようになっている。このせん刃２３は、ソケット２に設けられた溝穴３に挿入され、溝穴３にせん刃２３を沿わせるようにしてアダプター２０を回転させることによりせん刃２３が溝穴３に係止され、ソケット２からアダプター２０が落下しないような構造となっている。
【０００７】
また、アダプター２０の側面には上記器具本体１０の係合部に係合可能な突起部２２が備えられている。この突起部２２は、アダプター本体２１内に設けられたバネによってアダプター２０の外周方向に付勢されており、通常の状態では突起部２２は外周方向に突き出た状態となっている。従って、アダプター２０が器具本体１０に取り付けられた状態では、突起部２２が器具本体１０の係合部に係合した状態になっており、アダプター２０は器具本体１０に固定された状態に維持される。また、突起部２２が係合部に係合した状態では容易に外れないように、アダプター本体２１内にロック用の押圧ピンなどからなるロック装置（図示せず）が備えられており、当該押圧ピンを押圧することにより器具本体１０からアダプター２０を取り外し可能になっている。
【０００８】
このような照明器具１を梱包する際には、例えば、図９に示すような５つの梱包資材、具体的に言うと、器具本体１０を載置するための本体載置板１１０と、当該本体載置板１１０のほぼ中央に備えられ器具本体１０の横ずれを軽減するための柱状をした横ずれ防止部材１２０と、器具本体１０の上に載置され、グローブ３０を載置し器具本体１０との接触による傷付けを防ぐためのグローブ載置板１３０と、グローブ３０の横揺れを防止するための枠部材１４０及び外箱４０とを用いて梱包されていた。すなわち、器具本体１０の開口１１に横ずれ防止部材１２０を挿通させて器具本体１０を本体載置板１１０上に載置し、さらにグローブ載置板１３０に開設された開口１３１に横ずれ防止部材１２０を挿通させて器具本体１０上にグローブ載置板１３０を載置し、さらにグローブ３０を載せて、最後にグローブ３０を取り囲むようにして枠部材１４０をグローブ載置板１３０上に載せた後、外箱４０に収納される。また、アダプター２０は、例えばビニール製の袋などの入れられた後に、枠部材１４０の内側や枠部材１４０の外側グローブ載置板１３０上などに置かれ、粘着テープなどによって固定されていた。
【０００９】
しかし、このような梱包形態にあっては、外箱４０を含めて５つの梱包資材を必要とし、また、梱包方法も面倒なものであり、梱包コストが高くなるといった問題点があった。
【００１０】
そこで、このような梱包方法の問題点を解決する方法として、例えば特開平１１−３４２９７６号公報（特許文献１）には、アダプターを梱包資材の一つに固定することにより使用する梱包資材を削減すると共に照明器具を安定に梱包した梱包形態が開示されている。
【００１１】
当該梱包形態においては、器具本体の横ずれを防止するための位置決め干渉板と、位置決め干渉板に開設された開口に挿通され、器具本体を係合させるための本体押え材とが用いられている。この本体押え材は、側面視で略凸字状をした筒状部と、当該筒状部の基端部周縁に設けられた板状部とから構成されており、位置決め干渉板の開口に当該筒状部を挿通させることにより筒状部が容易に横ずれを起こさないように作製されている。また、筒状部の段差部の外周縁には突起部が設けられており、器具本体の開口周縁に設けられた凹部がこの突起部に嵌合される。さらに、この筒状部の上端周縁には、器具本体の開口周縁部に備えられた嵌合部と嵌合可能になっており、筒状部を器具本体に嵌め合わせることによって、器具本体が段差部上に支持されるようにして筒状部に固定される。
【００１２】
また、筒状部の上部内径はアダプターの外径とほぼ等しいため、アダプターはこの筒状部の内部に、アダプターの突起部を押圧する形で保持される。
【００１３】
従って、このような梱包形態においては、２つの梱包資材、すなわち本体押え材と位置決め干渉板の２つによって器具本体を固定支持することができるため、梱包資材の点数を削減することができる。また、アダプターが直接本体押え材に固定されるため、アダプターの梱包も比較的容易にすることができる。
【特許文献１】特開平１１−３４２９７６号公報
【発明の開示】
【発明が解決しようとする課題】
【００１４】
しかしながら、上記特開平１１−３４２９７６号公報に開示された梱包方法においては、器具本体と本体押え材を嵌合することによって器具本体を本体押え材に固定する構造であるため、器具本体及び本体押え材の双方に嵌合部材を設ける必要があり、器具本体の製造工程が増えたり本体押え材の加工が複雑になる、梱包コストが高くなるという問題点があった。
【００１５】
また、アダプターは本体押え材の筒状部内側に挟持される構造であるため、アダプターの梱包作業が面倒なものであり、またアダプターが外れやすく、輸送中にアダプターが外れてガタガタという音がしたり、アダプターが破損されるという恐れもあった。
【００１６】
本発明は上記従来技術の問題点に鑑みてなされたものであって、器具本体に特別な加工を施すことなく、しかもアダプターを安定に梱包すると共に、少ない梱包資材で安価に照明器具を梱包可能な梱包資材、梱包形態を提供することにある。
【課題を解決するための手段】
【００１７】
本発明に係る梱包資材は、天井に備えられるソケットに設けられた溝穴に挿入され、当該溝穴に係止可能となったせん刃を具備する照明器具を梱包するために用いられる梱包資材であって、前記照明器具を支持する台座部を備え、当該台座部の上端面に前記せん刃が挿入される溝穴が備えられ、当該溝穴に沿ったせん刃の回転により当該せん刃が係止可能になったことを特徴としている。
【００１８】
このような梱包資材を用いることができる照明器具としては、せん刃が照明器具に固定されているもののみならず、それ以外にも、器具本体と器具本体の中央に開設された開口に着脱可能に備えられたアダプターとを備え、前記せん刃が前記アダプターに備えられた照明器具にも好適に用いられる。
【００１９】
また、本発明の梱包資材の台座部の基端部につば状部を備えることが好ましく、前記台座部に段差部を備え、前記段差部によって当該台座部に固定された照明器具の裏面が支持可能に構成するのが望ましい。
【００２０】
さらに、これらの梱包資材の台座部には、当該台座部の前記溝穴に沿って、前記せん刃の先端に備えられた係止用の爪を誘導するための傾斜部を設けたり、あるいは、前記台座部の前記溝穴に沿った位置に、前記せん刃の先端に備えられた係止用の爪が乗り越えられる凸部を設けるのがよい。
【００２１】
本発明に係る照明器具の梱包方法は、天井に備えられるソケットに設けられた溝穴に挿入され、溝穴に係止可能となったせん刃を備えた照明器具を梱包するための梱包方法であって、上端面に前記せん刃を挿入できる溝穴が備えられ、当該溝穴に沿ってせん刃を回転させることによってせん刃を係止可能にした台座部に、前記照明器具を支持固定させて梱包用外箱に収納することを特徴としている。
【００２２】
この方法においては、前記台座部の基端部につば状部を備え、前記台座部を平板状の収納補助材に開設された穴に挿通し、前記つば状部を前記収納補助材と梱包用外箱の底面との間に挟み込むようにするのが好ましい。
【００２３】
また、本発明に係る照明器具の梱包形態は、天井に備えられるソケットに設けられた溝穴に挿入され、溝穴に係止可能となったせん刃を備えた照明器具の梱包形態であって、請求項１乃至７のいずれかに記載の梱包資材を用いて照明器具が梱包されたことを特徴としている。
【発明の効果】
【００２４】
本発明に係る梱包資材においては、ソケットの溝穴に挿入して係止するためのせん刃を挿入し、当該せん刃を回転させることによって係止可能になった溝穴が設けられた台座部を備えているので、特別な加工を施すことなく照明器具を梱包資材の台座部に直接保持させることができる。従って、当該梱包資材に照明器具を保持させて、そのまま外箱に収納することができる。このため、用いる梱包資材が少なくなるだけでなく、照明器具の梱包方法も非常に簡略化される。
【００２５】
特にせん刃が、器具本体に着脱可能になったアダプターに備えられた照明器具においては、アダプターを台座部に備えることにより器具本体を保持することができ、アダプターが別体とならず、アダプターの梱包が容易になるだけでなく、アダプターのがたつき音やアダプターによって器具本体に傷がつくのを防ぐことができる。また、アダプターを器具本体から取り外すことなく、梱包資材から取り外し、そのまま天井に取り付けることもできる。
【００２６】
当該台座部にはその基端部につば状部を備えることができ、安定に外箱内に収納することができる。さらには、開口が設けられた収納補助材とを用いることによって、収納補助材と外箱との間につば状部を挟み込み、より一層安定に照明器具を収納することもできる。
【００２７】
さらに、当該台座部に固定された照明器具の裏面を支持できる段差部を台座部に設けることによって、照明器具の周縁部が搬送中に垂下するのを防ぐこともできる。
【００２８】
また、前記台座部の前記溝穴に沿って、前記せん刃の先端に備えられた係止用の爪を誘導するための傾斜部を当該台座部に設けることにより、せん刃の回転がスムーズに行え、照明器具やアダプターの装着が容易になる。
【００２９】
あるいは、前記台座部の前記溝穴に沿った位置に、前記せん刃の先端に備えられた係止用の爪が乗り越えられる凸部を設けることにより、せん刃が容易に回転して台座部に装着された照明器具やアダプターが容易に外れるのを防ぐことができる。
【００３０】
このように本発明においては、用いる包装資材の点数を減少させることができ、照明器具の梱包コストを削減するとともに、照明器具に特別な加工を施すことなく、しかもアダプターの固定を確実に行なうことができる。
【発明を実施するための最良の形態】
【００３１】
図１は本発明の一実施の形態に係る梱包方法を示す説明図、図２は当該方法によって証明器具が梱包された状態を示す断面説明図、図３は本発明の梱包方法に用いられる本発明の一実施の形態に係る梱包資材を示す説明図であって、同図（ａ）はその平面図、同図（ｂ）はその側面図、図４は図３に示す梱包資材にアダプターを取り付けた状態を示す説明図であって、同図（ａ）はその側面説明図、同図（ｂ）はその裏面説明図である。以下、各図に用いながら本発明について詳細に説明する。なお、照明器具１は、アダプター２０を含めて従来例と同じ構造であって、ここではその説明については省略する。
【００３２】
本発明の係る梱包方法においては、３つの包装資材、すなわち、照明器具１を納める外箱４０と、本発明に係る梱包資材であって、アダプター２０を装着して器具本体１０を保持するための保持部材６０と、当該保持部材６０を外箱４０内に安定に収納するための収納補助材５０が用いられる。これらの包装資材は、製造コストが安く、クッション材としての機能をも有する観点などから、例えばダンボールなどから作製されている。
【００３３】
収納補助材５０は、矩形状をした底板部５１と底板部５１とほぼ垂直に備えられた側板部５３とから構成されている。底板部５１は、器具本体１０の平面寸法よりもわずかに大きくなるように略矩形状作製されており、その中央部には保持部材６０の台座部６１を挿通させるための穴５２が開口されている。この穴５２は、当該穴５２を挿通させた台座部６１が左右に揺れるのを防ぐためのもので、台座部６１の外径とほぼ同じかそれよりもわずかに大きく開口されている。また、側板部５３は、底板部５１のすくなくとも対向する１組の辺に、底板部５１を折り曲げるようにして備えられている。この側板部５３は、外箱４０に収納された際に外箱４０の内側面にほぼ密接されるように設けられる。
【００３４】
保持部材６０は、アダプター２０を備え付けるための台座部６１と台座部６１を安定に起立した状態に保つためのつば状部６２とを備えている。つば状部６２は台座部６１の基端部に備えられ、収納補助材５０の穴５２に台座部６１を挿通した場合に左右にほとんど揺れない程度の大きさに作製されている。従って、保持部材６０の台座部６１を収納補助材５０の穴５２に挿通することにより、台座部６１は収納補助材５０の上側に位置すると共につば状部６２が収納補助材５０の下側に位置する。この結果、外箱４０に収納した場合にはつば状部６２が外箱４０の底板と底板部５１との間で挟み込まれ、台座部６１が起立した状態に維持される。
【００３５】
台座部６１は、内部が空洞となっており側面視で台形状となるように作製されている。台座部６１の中央部には周囲よりも一段高くなった装着部６３が設けられ、台座部６１の中間には段差部６５が設けられている。当該段差部６５は、器具本体１０の中央部に形成された段差部１２を裏面側から支えることができる構造となっている。また、当該台座部６１は、後述するようにアダプター２０に器具本体１０を装着して台座部６１に支持させた状態では、器具本体１０の裏面が収納補助材５０と接触しないような高さに設計される。
【００３６】
装着部６３の上端面は平坦で、この装着部６３の外径はアダプター２０を十分に載置保持できる程度の大きさがあればよく、照明器具１の開口１１が台座部６１に接触しないように、アダプター２０の外径よりもやや小さく作製されている。また、装着部６３の上端面にはソケット２と同様にアダプター２０の２本のせん刃２３が挿入される溝穴６４が２つ設けられている。当該溝穴６４は、図３（ａ）に示すように、円弧を描くように形成されており、溝穴６４の一端はせん刃２３先端の爪２４を挿入できる程度の溝幅に形成され挿入部６６が設けられ、その他の部分は細く作製されている。従って、図４に示すように、溝幅が大きくなった挿入部６６においてせん刃２３を挿入し（図４中イの位置）、溝穴６４に沿って図５中ハの位置までアダプター２０を回転すれば、爪２４部が装着部６３の上端裏面において係止され容易に抜けない構造となっている。なお、図４（ａ）の二点破線は突起部２２を含むアダプター２０の外周を示し、実線は台座部６１の外周を示している。
【００３７】
また、装着部６３の厚みは、溝穴６４に挿入された爪２４部が回転できる程度に設計すればよいが、好ましくはアダプター２０を回転させた際に山型形状に作製された当接部２７が装着部６３の上端裏面に当接される程度の厚みに設計するのがよい。この結果、アダプター２０がしっかりと装着部６３に係止される。
【００３８】
照明器具１は、上記の保持部材６０及び収納補助材５０が用いられて外箱４０に収納される。具体的に言うと、まず保持部材６０の台座部６１を収納補助材５０の穴５２に挿通した後、台座部６１の装着部６３にアダプター２０を装着する。次に、器具本体１０の当該アダプター２０にランプ４の取付具１３を上に向けて器具本体１０を装着すると共に、器具本体１０の裏面と収納補助材５０との間に発泡スチロールやスポンジなどからなる緩衝材５を備え、器具本体１０が垂下するのを防止する。このとき、アダプター２０の突起部２２が器具本体１０の係合部に係合されアダプター２０に固定される。また、器具本体１０の段差部１２が台座部６１の段差部６５上に支持される。そして、取付具１３にランプ４を取り付けた後、必要に応じてランプ４上に発泡スチロールやスポンジなどからなる図示しない緩衝材を置いた後、グローブ３０を器具本体１０に装着する。このようにして照明器具１を保持部材６０に固定した後、収納補助材５０の側板部５３を折り立てるようにして外箱４０に収納する。また必要とあれば、保持部材６０のつば状部６２を収納補助材６０に接着剤等で固定することにしてもよく、さらに側板部５３の上端部外面を外箱４０の内側面に接着剤等で固定することにしてもよい。
【００３９】
また、照明器具１を梱包から解く場合には、上記の手順と逆にして器具本体１０をアダプター２０から取り外し、アダプター２０を保持部材６０から取り外すことにしてもよく、また、アダプター２０を器具本体１０に装着したまま器具本体１０を回転させ、保持部材６０から取り外すこともできる。
【００４０】
このように本発明の保持部材６０を用いることによって、従来では外箱４０を含めて５つの包装資材を必要としていたのを、外箱４０を含めて包装資材の点数を３つに減らすことができる。また、アダプター２０を収納するための特別な手間も必要とせず、アダプター２０をソケット２と取り付けるのと同様に簡単な方法で保持部材６０に装着することができるだけでなく、器具本体１０の装着も簡単に行なうことができる。しかも、器具本体１０がアダプター２０を介して保持部材６０に固定されるため、搬送中の器具本体１０の揺れやグローブ３０の揺れを小さくできる。このため、搬送に伴う照明器具１の破損を減少させることもできる。また、枠部材１４０を用いる場合に比べて、照明器具１の厚み方向の高さを小さくすることができるため外箱４０全体が小さくなり、才数が縮小できるなど、梱包コストや搬送コストの削減、保管スペースの省スペース化などに大きく貢献できるものである。
【００４１】
また、アダプター２０及び器具本体１０の取付方向は、天井への取付方向と同一方向になるため、アダプター２０を器具本体１０に装着したまま保持部材６０から取り外すことができるだけでなく、天井への取り付けもそのまま行なえ、天井への装着をも容易にできる。
【００４２】
次に図５に示すものは、本発明の別な実施の形態に係る保持部材６０にアダプター２０を取り付けた状態を示す側面説明図である。この保持部材６０においては、溝穴６４に挿入された爪２４を誘導するための傾斜部６７が、装着部６３の上端裏面側に設けられている。この傾斜部６８は、装着部６３の溝穴６４に沿って溝穴６４の内周側に上端面裏面を切り欠いて設けられている。また、傾斜部６７は溝穴６４端部の爪２４が挿入される挿入部６６においてはその切り欠き量が多くなり、溝穴６４の他端側において爪２４が他端に達した場合に爪２４の当接部２７が上端面裏面に当接されるように設けられている。この結果、当該傾斜部６７に沿って爪２４が誘導されやすくなっており、図５中イの位置からアダプター２０を回転させることにより、同図中ロの位置を経て同図中ハの位置へと爪２４がスムーズに回転され、アダプター２０の装着を容易に行なえる。
【００４３】
また、図６に示す保持部材６０においては、台座部６１の上端裏面に凸部６８が設けられており、アダプター２０の回転によって、爪２４の当接部２７が当該凸部６８を乗り越えるようになっている。当該凸部６８は爪２４の当接部２７が乗り越える位置であればどの位置であってもよいが、好ましくはできる限り、溝穴６４の爪２４挿入側端部と反対側に位置させるのが、台座部６１の上端面に装着されたアダプター２０が自然に回転するのを防ぐ上で望ましいものである。この結果、図６中イの位置からアダプター２０を回転させることにより、同図中ロの位置で爪２４が凸部６８を乗り越えて同図中ハの位置へと爪２４が回転されたアダプター２０が容易に逆戻りせず、アダプター２０が容易に外れるのを防ぐことができる。また、図５に示すように傾斜部６７を設けた場合においても、このような凸部６８を設けることができるのはいうまでもない。
【００４４】
このようにアダプター２０を台座部６１の上端面に装着可能な包装資材（保持部材６０）を用いることによって、用いる包装資材の点数を減少させることができ、照明器具１の梱包コストを削減するとともに、器具本体１０に特別な加工を施すことなく、しかもアダプター２０の固定を確実に行なうことができる。
【００４５】
また、上記実施の形態においては、台座部６１の基端部につば状部６２を備え、当該つば状部６２を収納補助材５０と外箱４０の底面との間で挟み込み、保持部材６０が動かないようにしたが、台座部６１と収納補助材５０とを一体に構成して、つば状部６２を外箱４０の底面とほぼ同じ大きさに作製することもできる。このようにすれば、さらに部品点数を削減することもできる。
【００４６】
さらに、本発明に係る保持部材６０は、アダプター２０と器具本体１０とが別体に構成された照明器具１についてのみに適用できるものでもなく、アダプター２０と器具本体１０が一体に構成されたような照明器具１、すなわち、器具本体１０に天井の備え付けられたソケット２に取り付けるためのせん刃２３が設けられた照明器具１にも適用できるものである。
【図面の簡単な説明】
【００４７】
【図１】本発明の一実施の形態に係る梱包方法を示す説明図である。
【図２】図１に示す梱包方法によって照明器具が梱包された状態を示す断面説明図である。
【図３】本発明の梱包方法に用いられる本発明の一実施の形態に係る梱包資材を示す説明図であって、同図（ａ）はその平面図、同図（ｂ）はその側面図である。
【図４】図３に示す梱包資材にアダプターを取り付けた状態を示す説明図であって、同図（ａ）はその側面説明図、同図（ｂ）はその裏面説明図である。
【図５】本発明の別な実施の形態に係る保持部材にアダプターを取り付けた状態を示す側面説明図である。
【図６】本発明のさらに別な実施の形態に係る保持部材にアダプターを取り付けた状態を示す側面説明図である。
【図７】天井に備え付けられるソケットの溝穴に挿入され、当該溝穴に係止可能となったせん刃を具備する照明器具であって、せん刃が器具本体に着脱可能なアダプターに備えられた照明器具の概略的分解斜視図である。
【図８】図７に示すアダプターを示す図であって、同図（ａ）はその側面図、同図（ｂ）はその上面図である。
【図９】従来例であって、図７に示す照明器具の梱包方法を示す説明図である。
【符号の説明】
【００４８】
１  照明器具
２  ソケット
３  ソケットに備えられた溝穴
４  ランプ
５  緩衝材
１０  器具本体
１１  開口
１２  段差部
１３  取付具
１５  引掛具
２０  アダプター
２１  アダプター本体
２２  突起部
２３  せん刃
２４  爪
２５  プラグ部
２７  当接部
３０  グローブ
４０  外箱
５０  収納補助材
５１  底板部
５２  穴
５３  側板部
６０  保持部材
６１  台座部
６２  つば状部
６３  装着部
６４  溝穴
６５  段差部
６６  溝幅が大きくなった挿入部
６７  傾斜部
６８  凸部
【図１】
2005343569.tif 000003
【図２】
2005343569.tif 000004
【図３】
2005343569.tif 000005
【図４】
2005343569.tif 000006
【図５】
2005343569.tif 000007
【図６】
2005343569.tif 000008
【図７】
2005343569.tif 000009
【図８】
2005343569.tif 000010
【図９】
2005343569.tif 000011
【手続補正書】
【提出日】平成17年8月25日(2005.8.25)
【手続補正１】
【補正対象書類名】特許請求の範囲
【補正対象項目名】全文
【補正方法】変更
【補正の内容】
【特許請求の範囲】
【請求項１】
照明器具を梱包するために用いられる梱包資材であって、前記照明器具は器具本体と器具本体に着脱可能に備えられたアダプターとを備え、前記アダプターに、天井に備えられるソケットに設けられた溝穴に挿入され当該溝穴に係止可能であるせん刃が設けられたものであり、前記照明器具を支持する台座部を備え、当該台座部の上端面に前記アダプターに設けられたせん刃が挿入される溝穴が備えられ、当該溝穴に沿ったせん刃の回転により前記アダプターに設けられたせん刃が係止可能であり、照明器具は前記アダプターに器具本体が固定された状態で梱包されることを特徴とする照明器具の梱包資材。
【請求項２】
アダプターは、器具本体の中央に開設された開口に着脱可能に備えられていることを特徴とする請求項１に記載の照明器具の梱包資材。
【請求項３】
台座部には周囲よりも一段高くなった装着部が設けられ、前記装着部の上端面は平坦であり、前記装着部は、照明器具の開口が台座部に接触しないように、アダプターの外径よりもやや小さく作製されていることを特徴とする請求項２に記載の照明器具の梱包資材。
【請求項４】
アダプターは突起部を有し、前記突起部はアダプターの外周方向に付勢されており、器具本体の中央に開設された開口には、アダプターの突起部を係合させるための係合部が設けられ、アダプターの突起部が器具本体の前記係合部に係合されて器具本体がアダプターに固定されることを特徴とする請求項２又は３のいずれかに記載の照明器具の梱包資材。
【請求項５】
前記台座部の基端部につば状部が備えられたことを特徴とする請求項１、２、３又は４のいずれかに記載の梱包資材。
【請求項６】
前記台座部に段差部を備え、前記段差部によって当該台座部に固定された照明器具の裏面が支持可能になったことを特徴とする請求項１、２、３、４又は５のいずれかに記載の梱包資材。
【請求項７】
照明器具を梱包するための梱包方法であって、前記照明器具は器具本体と器具本体に着脱可能に備えられたアダプターとを備え、天井に備えられるソケットに設けられた溝穴に挿入され当該溝穴に係止可能なせん刃を前記アダプターに具備し、上端面に前記アダプターのせん刃を挿入できる溝穴が備えられ、当該溝穴に沿ってせん刃を回転させることによってせん刃を係止可能にした台座部に、前記アダプターのせん刃を支持固定させ、前記アダプターに器具本体が固定された状態で照明器具を梱包用外箱に収納することを特徴とする照明器具の梱包方法。
【請求項８】
前記台座部の基端部につば状部を備え、前記台座部を平板状の収納補助材に開設された穴に挿通し、前記つば状部を前記収納補助材と梱包用外箱の底面との間に挟み込むことを特徴とする請求項７に記載の照明器具の梱包方法。
【手続補正２】
【補正対象書類名】明細書
【補正対象項目名】全文
【補正方法】変更
【補正の内容】
【発明の詳細な説明】
【技術分野】
【０００１】
本発明は照明器具の梱包資材及び照明器具の梱包方法並びに照明器具の梱包形態に関する。具体的には、天井に備え付けられるソケットに、せん刃を挿入して係止させることにより天井に取り付ける方式の照明器具に適した梱包資材及び当該梱包資材を使用した梱包方法に関する。
【背景技術】
【０００２】
図７に示すものは、天井に備え付けられるソケット２の溝穴３に挿入され、当該溝穴３に係止可能となったせん刃２２を具備する照明器具１であって、せん刃２２が器具本体１０に着脱可能なアダプター２０に備えられた照明器具１の概略的分解斜視図である。当該照明器具１は、サークラインなどのランプや点灯装置を備えた器具本体１０と、当該器具本体１０に装着されランプを保護するためのグローブ３０と、天井に備え付けられたソケット２に器具本体１０を装着するためのアダプター２０とから構成されている。
【０００３】
器具本体１０は、金属板などから中央部が凸になった略円盤状に作製されており、その中央部にはアダプター２０を嵌め込むための開口１１が開設されている。この開口１１は、後述するようにアダプター２０の外周とほぼ同じ大きさかそれよりもわずかに大きく作製されており、この開口１１の図面下側には、アダプター２０の突起部を係合させるための図示しない係合部が備えられている。
【０００４】
また、器具本体１０の開口１１周縁部は、中央部が下に凸となるように段差部１２が形成されている。さらに、器具本体１０の外周縁には、グローブ３０を引っ掛けて落下しないようにするための引掛具１５が設けられている。また、器具本体１０の下面にはランプを取り付けるための取付具１３が備えられている。
【０００５】
アダプター２０は、図８に示すように、略円筒形状をしたアダプター本体２１と天井のソケット２に挿入される２本のせん刃２３とを備えている。また、当該アダプター２０の下面には、器具本体１０の点灯装置と電気的に接続するためのプラグ部２５が設けられている。
【０００６】
せん刃２３は、ソケット２と電気的に接続すると共に照明器具１を天井に取り付けるための金具の役割を果たすものであり、アダプター２０の内側方向に向け、側面視で先端がほぼ水平となる爪２４を有する略Ｌ字形状をしている。また爪２４は内側に凸となった略山型形状に形成されており、当該山型形状になった当接部２７によって図示しないソケット２との電気的な接続が確実に行なえるようになっている。このせん刃２３は、ソケット２に設けられた溝穴３に挿入され、溝穴３にせん刃２３を沿わせるようにしてアダプター２０を回転させることによりせん刃２３が溝穴３に係止され、ソケット２からアダプター２０が落下しないような構造となっている。
【０００７】
また、アダプター２０の側面には上記器具本体１０の係合部に係合可能な突起部２２が備えられている。この突起部２２は、アダプター本体２１内に設けられたバネによってアダプター２０の外周方向に付勢されており、通常の状態では突起部２２は外周方向に突き出た状態となっている。従って、アダプター２０が器具本体１０に取り付けられた状態では、突起部２２が器具本体１０の係合部に係合した状態になっており、アダプター２０は器具本体１０に固定された状態に維持される。また、突起部２２が係合部に係合した状態では容易に外れないように、アダプター本体２１内にロック用の押圧ピンなどからなるロック装置（図示せず）が備えられており、当該押圧ピンを押圧することにより器具本体１０からアダプター２０を取り外し可能になっている。
【０００８】
このような照明器具１を梱包する際には、例えば、図９に示すような５つの梱包資材、具体的に言うと、器具本体１０を載置するための本体載置板１１０と、当該本体載置板１１０のほぼ中央に備えられ器具本体１０の横ずれを軽減するための柱状をした横ずれ防止部材１２０と、器具本体１０の上に載置され、グローブ３０を載置し器具本体１０との接触による傷付けを防ぐためのグローブ載置板１３０と、グローブ３０の横揺れを防止するための枠部材１４０及び外箱４０とを用いて梱包されていた。すなわち、器具本体１０の開口１１に横ずれ防止部材１２０を挿通させて器具本体１０を本体載置板１１０上に載置し、さらにグローブ載置板１３０に開設された開口１３１に横ずれ防止部材１２０を挿通させて器具本体１０上にグローブ載置板１３０を載置し、さらにグローブ３０を載せて、最後にグローブ３０を取り囲むようにして枠部材１４０をグローブ載置板１３０上に載せた後、外箱４０に収納される。また、アダプター２０は、例えばビニール製の袋などの入れられた後に、枠部材１４０の内側や枠部材１４０の外側グローブ載置板１３０上などに置かれ、粘着テープなどによって固定されていた。
【０００９】
しかし、このような梱包形態にあっては、外箱４０を含めて５つの梱包資材を必要とし、また、梱包方法も面倒なものであり、梱包コストが高くなるといった問題点があった。
【００１０】
そこで、このような梱包方法の問題点を解決する方法として、例えば特開平１１−３４２９７６号公報（特許文献１）には、アダプターを梱包資材の一つに固定することにより使用する梱包資材を削減すると共に照明器具を安定に梱包した梱包形態が開示されている。
【００１１】
当該梱包形態においては、器具本体の横ずれを防止するための位置決め干渉板と、位置決め干渉板に開設された開口に挿通され、器具本体を係合させるための本体押え材とが用いられている。この本体押え材は、側面視で略凸字状をした筒状部と、当該筒状部の基端部周縁に設けられた板状部とから構成されており、位置決め干渉板の開口に当該筒状部を挿通させることにより筒状部が容易に横ずれを起こさないように作製されている。また、筒状部の段差部の外周縁には突起部が設けられており、器具本体の開口周縁に設けられた凹部がこの突起部に嵌合される。さらに、この筒状部の上端周縁には、器具本体の開口周縁部に備えられた嵌合部と嵌合可能になっており、筒状部を器具本体に嵌め合わせることによって、器具本体が段差部上に支持されるようにして筒状部に固定される。
【００１２】
また、筒状部の上部内径はアダプターの外径とほぼ等しいため、アダプターはこの筒状部の内部に、アダプターの突起部を押圧する形で保持される。
【００１３】
従って、このような梱包形態においては、２つの梱包資材、すなわち本体押え材と位置決め干渉板の２つによって器具本体を固定支持することができるため、梱包資材の点数を削減することができる。また、アダプターが直接本体押え材に固定されるため、アダプターの梱包も比較的容易にすることができる。
【特許文献１】特開平１１−３４２９７６号公報
【発明の開示】
【発明が解決しようとする課題】
【００１４】
しかしながら、上記特開平１１−３４２９７６号公報に開示された梱包方法においては、器具本体と本体押え材を嵌合することによって器具本体を本体押え材に固定する構造であるため、器具本体及び本体押え材の双方に嵌合部材を設ける必要があり、器具本体の製造工程が増えたり本体押え材の加工が複雑になり、梱包コストが高くなるという問題点があった。
【００１５】
また、アダプターは本体押え材の筒状部内側に挟持される構造であるため、アダプターの梱包作業が面倒なものであり、またアダプターが外れやすく、輸送中にアダプターが外れてガタガタという音がしたり、アダプターが破損されるという恐れもあった。
【００１６】
本発明は上記従来技術の問題点に鑑みてなされたものであって、器具本体に特別な加工を施すことなく、しかもアダプターを安定に梱包すると共に、少ない梱包資材で安価に照明器具を梱包可能な梱包資材及び当該梱包資材を使用した梱包方法を提供することにある。
【課題を解決するための手段】
【００１７】
本発明に係る梱包資材は、照明器具を梱包するために用いられる梱包資材であって、前記照明器具は器具本体と器具本体に着脱可能に備えられたアダプターとを備え、前記アダプターに、天井に備えられるソケットに設けられた溝穴に挿入され、当該溝穴に係止可能であるせん刃が設けられたものであり、前記照明器具を支持する台座部を備え、当該台座部の上端面に前記アダプターに設けられたせん刃が挿入される溝穴が備えられ、当該溝穴に沿ったせん刃の回転により前記アダプターに設けられたせん刃が係止可能であり、照明器具は前記アダプターに器具本体が固定された状態で梱包されることを特徴としている。
【００１８】
アダプターは、器具本体の中央に開設された開口に着脱可能に備えられていることが望ましい。
【００１９】
台座部には周囲よりも一段高くなった装着部が設けられ、前記装着部の上端面は平坦であり、前記装着部は、照明器具の開口が台座部に接触しないように、アダプターの外径よりもやや小さく作製されていることが推奨される。
【００２０】
アダプターは突起部を有し、前記突起部はアダプターの外周方向に付勢されており、器具本体の中央に開設された開口には、アダプターの突起部を係合させるための係合部が設けられ、アダプターの突起部が器具本体の前記係合部に係合されて器具本体がアダプターに固定されることが望ましい。
【００２１】
また、本発明の梱包資材の台座部の基端部につば状部を備えることが好ましく、前記台座部に段差部を備え、前記段差部によって当該台座部に固定された照明器具の裏面が支持可能に構成するのが望ましい。
【００２２】
さらに、これらの梱包資材の台座部には、当該台座部の前記溝穴に沿って、前記せん刃の先端に備えられた係止用の爪を誘導するための傾斜部を設けたり、あるいは、前記台座部の前記溝穴に沿った位置に、前記せん刃の先端に備えられた係止用の爪が乗り越えられる凸部を設けるのがよい。
【００２３】
本発明に係る照明器具の梱包方法は、照明器具を梱包するための梱包方法であって、前記照明器具は器具本体と器具本体に着脱可能に備えられたアダプターとを備え、天井に備えられるソケットに設けられた溝穴に挿入され、当該溝穴に係止可能なせん刃を前記アダプターに具備し、上端面に前記アダプターのせん刃を挿入できる溝穴が備えられ、当該溝穴に沿ってせん刃を回転させることによってせん刃を係止可能にした台座部に、前記アダプターのせん刃を支持固定させ、前記アダプターに器具本体が固定された状態で照明器具を梱包用外箱に収納することを特徴としている。
【００２４】
この方法においては、前記台座部の基端部につば状部を備え、前記台座部を平板状の収納補助材に開設された穴に挿通し、前記つば状部を前記収納補助材と梱包用外箱の底面との間に挟み込むようにするのが好ましい。
【００２５】
また、本発明に係る照明器具の梱包形態は、天井に備えられるソケットに設けられた溝穴に挿入され、溝穴に係止可能となったせん刃を備えた照明器具の梱包形態であって、請求項１乃至６のいずれかに記載の梱包資材を用いて照明器具が梱包されたことを特徴としている。
【発明の効果】
【００２６】
本発明に係る梱包資材においては、ソケットの溝穴に挿入して係止するためのせん刃を挿入し、当該せん刃を回転させることによって係止可能になった溝穴が設けられた台座部を備えているので、特別な加工を施すことなく照明器具を梱包資材の台座部に直接保持させることができる。従って、当該梱包資材に照明器具を保持させて、そのまま外箱に収納することができる。このため、用いる梱包資材が少なくなるだけでなく、照明器具の梱包方法も非常に簡略化される。
【００２７】
特にせん刃が、器具本体に着脱可能になったアダプターに備えられた照明器具においては、アダプターを台座部に備えることにより器具本体を保持することができ、アダプターが別体とならず、アダプターの梱包が容易になるだけでなく、アダプターのがたつき音やアダプターによって器具本体に傷がつくのを防ぐことができる。
【００２８】
当該台座部にはその基端部につば状部を備えることができ、安定に外箱内に収納することができる。さらには、開口が設けられた収納補助材とを用いることによって、収納補助材と外箱との間につば状部を挟み込み、より一層安定に照明器具を収納することもできる。
【００２９】
さらに、当該台座部に固定された照明器具の裏面を支持できる段差部を台座部に設けることによって、照明器具の周縁部が搬送中に垂下するのを防ぐこともできる。
【００３０】
また、前記台座部の前記溝穴に沿って、前記せん刃の先端に備えられた係止用の爪を誘導するための傾斜部を当該台座部に設けることにより、せん刃の回転がスムーズに行え、照明器具やアダプターの装着が容易になる。
【００３１】
あるいは、前記台座部の前記溝穴に沿った位置に、前記せん刃の先端に備えられた係止用の爪が乗り越えられる凸部を設けることにより、せん刃が容易に回転して台座部に装着された照明器具やアダプターが容易に外れるのを防ぐことができる。
【００３２】
このように本発明においては、用いる包装資材の点数を減少させることができ、照明器具の梱包コストを削減するとともに、照明器具に特別な加工を施すことなく、しかもアダプターの固定を確実に行なうことができる。
【発明を実施するための最良の形態】
【００３３】
図１は本発明の一実施の形態に係る梱包方法を示す説明図、図２は当該方法によって証明器具が梱包された状態を示す断面説明図、図３は本発明の梱包方法に用いられる本発明の一実施の形態に係る梱包資材を示す説明図であって、同図（ａ）はその平面図、同図（ｂ）はその側面図、図４は図３に示す梱包資材にアダプターを取り付けた状態を示す説明図であって、同図（ａ）はその側面説明図、同図（ｂ）はその裏面説明図である。以下、各図に用いながら本発明について詳細に説明する。なお、照明器具１は、アダプター２０を含めて従来例と同じ構造であって、ここではその説明については省略する。
【００３４】
本発明の係る梱包方法においては、３つの包装資材、すなわち、照明器具１を納める外箱４０と、本発明に係る梱包資材であって、アダプター２０を装着して器具本体１０を保持するための保持部材６０と、当該保持部材６０を外箱４０内に安定に収納するための収納補助材５０が用いられる。これらの包装資材は、製造コストが安く、クッション材としての機能をも有する観点などから、例えばダンボールなどから作製されている。
【００３５】
収納補助材５０は、矩形状をした底板部５１と底板部５１とほぼ垂直に備えられた側板部５３とから構成されている。底板部５１は、器具本体１０の平面寸法よりもわずかに大きくなるように略矩形状に作製されており、その中央部には保持部材６０の台座部６１を挿通させるための穴５２が開口されている。この穴５２は、当該穴５２を挿通させた台座部６１が左右に揺れるのを防ぐためのもので、台座部６１の外径とほぼ同じかそれよりもわずかに大きく開口されている。また、側板部５３は、底板部５１のすくなくとも対向する１組の辺に、底板部５１を折り曲げるようにして備えられている。この側板部５３は、外箱４０に収納された際に外箱４０の内側面にほぼ密接されるように設けられる。
【００３６】
保持部材６０は、アダプター２０を備え付けるための台座部６１と台座部６１を安定に起立した状態に保つためのつば状部６２とを備えている。つば状部６２は台座部６１の基端部に備えられ、収納補助材５０の穴５２に台座部６１を挿通した場合に左右にほとんど揺れない程度の大きさに作製されている。従って、保持部材６０の台座部６１を収納補助材５０の穴５２に挿通することにより、台座部６１は収納補助材５０の上側に位置すると共につば状部６２が収納補助材５０の下側に位置する。この結果、外箱４０に収納した場合にはつば状部６２が外箱４０の底板と底板部５１との間で挟み込まれ、台座部６１が起立した状態に維持される。
【００３７】
台座部６１は、内部が空洞となっており側面視で台形状となるように作製されている。台座部６１の中央部には周囲よりも一段高くなった装着部６３が設けられ、台座部６１の中間には段差部６５が設けられている。当該段差部６５は、器具本体１０の中央部に形成された段差部１２を裏面側から支えることができる構造となっている。また、当該台座部６１は、後述するようにアダプター２０に器具本体１０を装着して台座部６１に支持させた状態では、器具本体１０の裏面が収納補助材５０と接触しないような高さに設計される。
【００３８】
装着部６３の上端面は平坦で、この装着部６３の外径はアダプター２０を十分に載置保持できる程度の大きさがあればよく、照明器具１の開口１１が台座部６１に接触しないように、アダプター２０の外径よりもやや小さく作製されている。また、装着部６３の上端面にはソケット２と同様にアダプター２０の２本のせん刃２３が挿入される溝穴６４が２つ設けられている。当該溝穴６４は、図３（ａ）に示すように、円弧を描くように形成されており、溝穴６４の一端はせん刃２３先端の爪２４を挿入できる程度の溝幅に形成され挿入部６６が設けられ、その他の部分は細く作製されている。従って、図４に示すように、溝幅が大きくなった挿入部６６においてせん刃２３を挿入し（図４中イの位置）、溝穴６４に沿って図５中ハの位置までアダプター２０を回転すれば、爪２４が装着部６３の上端裏面において係止され容易に抜けない構造となっている。なお、図４（ａ）の二点破線は突起部２２を含むアダプター２０の外周を示し、実線は台座部６１の外周を示している。
【００３９】
また、装着部６３の厚みは、溝穴６４に挿入された爪２４が回転できる程度に設計すればよいが、好ましくはアダプター２０を回転させた際に山型形状に作製された当接部２７が装着部６３の上端裏面に当接される程度の厚みに設計するのがよい。この結果、アダプター２０がしっかりと装着部６３に係止される。
【００４０】
照明器具１は、上記の保持部材６０及び収納補助材５０が用いられて外箱４０に収納される。具体的に言うと、まず保持部材６０の台座部６１を収納補助材５０の穴５２に挿通した後、台座部６１の装着部６３にアダプター２０を装着する。次に、器具本体１０の当該アダプター２０に、ランプ４の取付具１３を上に向けて器具本体１０を装着すると共に、器具本体１０の裏面と収納補助材５０との間に発泡スチロールやスポンジなどからなる緩衝材５を備え、器具本体１０が垂下するのを防止する。このとき、アダプター２０の突起部２２が器具本体１０の係合部に係合されアダプター２０に固定される。また、器具本体１０の段差部１２が台座部６１の段差部６５上に支持される。そして、取付具１３にランプ４を取り付けた後、必要に応じてランプ４上に発泡スチロールやスポンジなどからなる図示しない緩衝材を置いた後、グローブ３０を器具本体１０に装着する。このようにして照明器具１を保持部材６０に固定した後、収納補助材５０の側板部５３を折り立てるようにして外箱４０に収納する。また必要とあれば、保持部材６０のつば状部６２を収納補助材６０に接着剤等で固定することにしてもよく、さらに側板部５３の上端部外面を外箱４０の内側面に接着剤等で固定することにしてもよい。
【００４１】
また、照明器具１を梱包から解く場合には、上記の手順と逆にして器具本体１０をアダプター２０から取り外し、アダプター２０を保持部材６０から取り外すことにしてもよく、また、アダプター２０を器具本体１０に装着したまま器具本体１０を回転させ、保持部材６０から取り外すこともできる。
【００４２】
このように本発明の保持部材６０を用いることによって、従来では外箱４０を含めて５つの包装資材を必要としていたのを、外箱４０を含めて包装資材の点数を３つに減らすことができる。また、アダプター２０を収納するための特別な手間も必要とせず、アダプター２０をソケット２と取り付けるのと同様に簡単な方法で保持部材６０に装着することができるだけでなく、器具本体１０の装着も簡単に行なうことができる。しかも、器具本体１０がアダプター２０を介して保持部材６０に固定されるため、搬送中の器具本体１０の揺れやグローブ３０の揺れを小さくできる。このため、搬送に伴う照明器具１の破損を減少させることもできる。また、枠部材１４０を用いる場合に比べて、照明器具１の厚み方向の高さを小さくすることができるため外箱４０全体が小さくなり、才数が縮小できるなど、梱包コストや搬送コストの削減、保管スペースの省スペース化などに大きく貢献できるものである。
【００４３】
また、アダプター２０及び器具本体１０の取付方向は、天井への取付方向と同一方向になるため、アダプター２０を器具本体１０に装着したまま保持部材６０から取り外すことができるだけでなく、天井への取り付けもそのまま行なえ、天井への装着をも容易にできる。
【００４４】
次に図５に示すものは、本発明の別な実施の形態に係る保持部材６０にアダプター２０を取り付けた状態を示す側面説明図である。この保持部材６０においては、溝穴６４に挿入された爪２４を誘導するための傾斜部６７が、装着部６３の上端裏面側に設けられている。この傾斜部６７は、装着部６３の溝穴６４に沿って溝穴６４の内周側に上端面裏面を切り欠いて設けられている。また、傾斜部６７は溝穴６４端部の爪２４が挿入される挿入部６６においてはその切り欠き量が多くなり、溝穴６４の他端側において爪２４が他端に達した場合に爪２４の当接部２７が装着部６３の上端面裏面に当接されるように設けられている。この結果、当該傾斜部６７に沿って爪２４が誘導されやすくなっており、図５中イの位置からアダプター２０を回転させることにより、同図中ロの位置を経て同図中ハの位置へと爪２４がスムーズに回転され、アダプター２０の装着を容易に行なえる。
【００４５】
また、図６に示す保持部材６０においては、台座部６１の上端裏面に凸部６８が設けられており、アダプター２０の回転によって、爪２４の当接部２７が当該凸部６８を乗り越えるようになっている。当該凸部６８は爪２４の当接部２７が乗り越える位置であればどの位置であってもよいが、好ましくはできる限り、溝穴６４の爪２４挿入側端部と反対側に位置させるのが、台座部６１の上端面に装着されたアダプター２０が自然に回転するのを防ぐ上で望ましいものである。この結果、図６中イの位置からアダプター２０を回転させることにより、同図中ロの位置で爪２４が凸部６８を乗り越えて同図中ハの位置へと爪２４が回転されたアダプター２０が容易に逆戻りせず、アダプター２０が容易に外れるのを防ぐことができる。また、図５に示すように傾斜部６７を設けた場合においても、このような凸部６８を設けることができるのはいうまでもない。
【００４６】
このようにアダプター２０を台座部６１の上端面に装着可能な包装資材（保持部材６０）を用いることによって、用いる包装資材の点数を減少させることができ、照明器具１の梱包コストを削減するとともに、器具本体１０に特別な加工を施すことなく、しかもアダプター２０の固定を確実に行なうことができる。
【００４７】
また、上記実施の形態においては、台座部６１の基端部につば状部６２を備え、当該つば状部６２を収納補助材５０と外箱４０の底面との間で挟み込み、保持部材６０が動かないようにしたが、台座部６１と収納補助材５０とを一体に構成して、つば状部６２を外箱４０の底面とほぼ同じ大きさに作製することもできる。このようにすれば、さらに部品点数を削減することもできる。
【００４８】
さらに、本発明に係る保持部材６０は、アダプター２０と器具本体１０とが別体に構成された照明器具１についてのみに適用できるものでもなく、アダプター２０と器具本体１０が一体に構成されたような照明器具１、すなわち、器具本体１０に天井の備え付けられたソケット２に取り付けるためのせん刃２３が設けられた照明器具１にも適用できるものである。
【図面の簡単な説明】
【００４９】
【図１】本発明の一実施の形態に係る梱包方法を示す説明図である。
【図２】図１に示す梱包方法によって照明器具が梱包された状態を示す断面説明図である。
【図３】本発明の梱包方法に用いられる本発明の一実施の形態に係る梱包資材を示す説明図であって、同図（ａ）はその平面図、同図（ｂ）はその側面図である。
【図４】図３に示す梱包資材にアダプターを取り付けた状態を示す説明図であって、同図（ａ）はその側面説明図、同図（ｂ）はその裏面説明図である。
【図５】本発明の別な実施の形態に係る保持部材にアダプターを取り付けた状態を示す側面説明図である。
【図６】本発明のさらに別な実施の形態に係る保持部材にアダプターを取り付けた状態を示す側面説明図である。
【図７】天井に備え付けられるソケットの溝穴に挿入され、当該溝穴に係止可能となったせん刃を具備する照明器具であって、せん刃が器具本体に着脱可能なアダプターに備えられた照明器具の概略的分解斜視図である。
【図８】図７に示すアダプターを示す図であって、同図（ａ）はその側面図、同図（ｂ）はその上面図である。
【図９】従来例であって、図７に示す照明器具の梱包方法を示す説明図である。
【符号の説明】
【００５０】
１  照明器具
２  ソケット
３  ソケットに備えられた溝穴
４  ランプ
５  緩衝材
１０  器具本体
１１  開口
１２  段差部
１３  取付具
１５  引掛具
２０  アダプター
２１  アダプター本体
２２  突起部
２３  せん刃
２４  爪
２５  プラグ部
２７  当接部
３０  グローブ
４０  外箱
５０  収納補助材
５１  底板部
５２  穴
５３  側板部
６０  保持部材
６１  台座部
６２  つば状部
６３  装着部
６４  溝穴
６５  段差部
６６  溝幅が大きくなった挿入部
６７  傾斜部
６８  凸部